(57)【要約】【課題】  単心の光ファイバを取り扱う大掛かりな布線装置を必要とするがなく、しかも、作業性、生産性のよくシャフル光ファイバシートを製造すること。【解決手段】  複数個の光ファイバ２１、３１を横一列に整列被覆してテープ化した既製の光ファイバテープ２０、３０を用い、両端を再テープ化を含めて多心の光ファイバテープとし、中央部が所定のパターンでシャフルされてシート１１上に貼り付けられている。【選択図】      図１
2005156580.tif 000002
【特許請求の範囲】
【請求項１】
複数個の光ファイバを横一列に整列被覆してテープ化した既製の光ファイバテープが用いられ、両端が多心の光ファイバテープをなし、中央部が所定のパターンでシャフルされてシート上に貼り付けられているシャフル光ファイバシート。
【請求項２】
両端が各々複数個の光ファイバテープをなしている請求項１記載のシャフル光ファイバシート。
【請求項３】
複数個の光ファイバを横一列に整列被覆してテープ化した多心の光ファイバテープを用い、
前記光ファイバテープの途中から一方の先端部までを単心の光ファイバに分離し、
分離した単心の光ファイバを所定のパターンでシャフルし、
シャフルした部分の光ファイバをシート上に貼り付け、
前記シートに貼り付けた部分より前記一方の先端部の側の前記光ファイバを横一列に整列して再テープ化する、
シャフル光ファイバシートの製造方法。
【請求項４】
複数個の光ファイバテープを用い、その複数個の光ファイバテープを各々の途中から一方の先端部までを単心の光ファイバに分離し、
前記シートに貼り付けた部分より前記一方の先端部の側の前記光ファイバを横一列に整列して当初の個数と同数の光ファイバテープに再テープ化する、
請求項３記載のシャフル光ファイバシートの製造方法。
【発明の詳細な説明】
【技術分野】
【０００１】
この発明は、シャフル光ファイバシートおよびその製造方法に関し、特に、光ファイバの組み替え配線（シャフル）部分をシート上に貼り付けられたシャフル光ファイバシートおよびその製造方法に関するものである。
【背景技術】
【０００２】
光ファイバ配線体として、単心の光ファイバが、途中部分を、シート（シート基板）上に組み替え配線、つまりシャフルされたものがある（例えば、特許文献１）。この光ファイバ配線体をシャフル光ファイバシートと呼ぶ。
【０００３】
従来のシャフル光ファイバシートは、リール等に巻回された単心の光ファイバを出発材料としており、リール等より単心の光ファイバを繰り出して布線装置によってシート基板上に、一筆書き状に所定パターンで貼り付け配線し、シート基板の両側に飛び出している部分を各々切断し、その飛び出し部分を所定の光ファイバ群にグループ化したものである。
【０００４】
従来のシャフル光ファイバシートは、単心の光ファイバを出発材料としているため、シート基板上の所定パターンによる組み替え配線を、大掛かりな布線装置によって行う必要がある。また、従来のシャフル光ファイバシートは、単心の光ファイバを出発材料としてから、シート基板の両側に飛び出し部分を各々所定の光ファイバ群にグループ化する必要があり、多心の光ファイバテープにするには、両側（両端）を各々、テープ化しなくしはならず、作業性、生産性が悪い。
【特許文献１】特開２００３−１６７１３４号公報
【発明の開示】
【発明が解決しようとする課題】
【０００５】
この発明が解決しようとする課題は、単心の光ファイバを取り扱う大掛かりな布線装置を必要とすることがなく、しかも、作業性、生産性のよくシャフル光ファイバシートを製造することである。
【課題を解決するための手段】
【０００６】
この発明によるシャフル光ファイバシートは、複数個の光ファイバを横一列に整列被覆してテープ化した既製の光ファイバテープが用いられ、両端が多心の光ファイバテープをなし、中央部が所定のパターンでシャフルされてシート上に貼り付けられている。このシャフル光ファイバシートは、両端が各々複数個の光ファイバテープをなしているものとすることができる。
【０００７】
この発明によるシャフル光ファイバシートの製造方法は、複数個の光ファイバを横一列に整列被覆してテープ化した多心の光ファイバテープを用い、前記光ファイバテープの途中から一方の先端部までを単心の光ファイバに分離し、分離した単心の光ファイバを所定のパターンでシャフルし、シャフルした部分の光ファイバをシート上に貼り付け、前記シートに貼り付けた部分より前記一方の先端部の側の前記光ファイバを横一列に整列して再テープ化する。
【０００８】
また、この発明によるシャフル光ファイバシートの製造方法は、更に、複数個の光ファイバテープを用い、その複数個の光ファイバテープを各々の途中から一方の先端部までを単心の光ファイバに分離し、前記シートに貼り付けた部分より前記一方の先端部の側の前記光ファイバを横一列に整列して当初の個数と同数の光ファイバテープに再テープ化する。
【発明の効果】
【０００９】
この発明によるシャフル光ファイバシートおよびその製造方法では、既製の光ファイバテープを用いているから、シート上の組み替え配線を、大掛かりな布線装置によることなく、簡便に行うことができ、シャフル後の光ファイバのグループ分け作業や、テープ化作業は、片側だけですみ、作業性、生産性が向上する。
【発明を実施するための最良の形態】
【００１０】
この発明によるシャフル光ファイバシートおよびその製造方法を、図１（ａ）〜（ｄ）を参照して説明する。
【００１１】
この発明によるシャフル光ファイバシート１０は、図１（ａ）に示されているように、既製の光ファイバテープ心線２０、３０を出発材料として製造されている。
【００１２】
光ファイバテープ心線２０と３０は、同じものであり、各々複数個の光ファイバ２１、３１を横一列に整列被覆してテープ化したものである。光ファイバテープ心線２０、３０は、図３に示されているように、複数個の光ファイバ２１、３１が紫外線硬化型樹脂等による二次被覆樹脂２２、３２によって一括被覆され、フラットな多心光ファイバをなしている。既製の光ファイバテープ心線としては、２心テープ、４心テープ、８心テープがあり、この実施形態では８心テープが用いられている。
【００１３】
この発明によるシャフル光ファイバシートの製造方法では、図１（ａ）に示されているように、所定長さに切断された既製の光ファイバテープ心線２０、３０を出発材料として準備する。
【００１４】
そして、図１（ｂ）に示されているように、光ファイバテープ心線２０、３０の途中から一方（右側）の先端部２０Ａ、３０Ａまでを、各々単心の光ファイバ２１、３１に分離する。つまり、光ファイバテープ心線２０、３０の図１にて左側部分は、テープ状態を維持する。なお、図１において、符号Ｔがテープ状態部分を示している。
【００１５】
つぎに、図１（ｃ）に示されているように、分離した光ファイバテープ心線２０、３０の各々の単心の光ファイバ２１、３２を、所定のパターンでシャフルし、シャフルした部分１１の光ファイバをシート１９上に貼り付ける。シート１９は、シート基板とも呼ばれる一般的なものであり、接着層を有する樹脂シートと樹脂製のカバーシートとで、光ファイバ２１、３２を挟み込み固定するものである。
【００１６】
つぎに、シート１９に貼り付けた部分より一方（右側）の先端部の側の光ファイバ２１、３１を横一列に整列して再テープ化する。この再テープ化は、部分１２（図１（ｃ）参照）について、接着剤による固定やテープの巻き付け等によって行われる。
【００１７】
この再テープ化によって、図１（ｄ）に示されているように、光ファイバテープをなし、シャフル光ファイバシート１０が得られる。
【００１８】
図１に示されている実施形態でのシャフルパターンは、ファイバテープ心線２０の一端側（入力側）をＡ１〜Ａ８、他端側（出力側）をＣ１〜Ｃ８、ファイバテープ心線３０の一端側（入力側）をＢ１〜Ｂ８、他端側（出力側）をＤ１〜Ｄ８とすると、図２に示されているようになる。
【図面の簡単な説明】
【００１９】
【図１】（ａ）〜（ｄ）は、この発明によるシャフル光ファイバシートおよびその製造方法の一つの実施形態を示す説明図である。
【図２】一つの実施形態によるシャフル光ファイバシートのシャフルパターンを示す表図である。
【図３】この発明によるシャフル光ファイバシートに用いられる光ファイバテープ心線の一つの実施形態を示す説明図である。
【符号の説明】
【００２０】
１０  シャフル光ファイバシート
１９  シート
２０、３０  光ファイバテープ心線
２１、３１  光ファイバ
Ｔ  テープ状態部分
【図１】
2005156580.tif 000003
【図２】
2005156580.tif 000004
【図３】
2005156580.tif 000005